(57)【特許請求の範囲】
【請求項１】
ケーブルトンネル覆工へのケーブルトレイ取付用埋込金物を、スキンプレート外側面に内側からボルト結合して備えるセントルであって、
前記スキンプレートには、前記ケーブルトレイ取付用埋込金物をケーブルトンネルの勾配の変化に対応してボルト結合可能とするボルト通し穴が複数位置に形成されていることを特徴とするケーブルトンネル用セントル。
【請求項２】
ボルト結合により備えられる前記ケーブルトレイ取付用埋込金物により隠れない箇所の前記ボルト通し穴を塞ぐキャップまたは穴埋め部品が備えられていることを特徴とする請求項１に記載のケーブルトンネル用セントル。
【請求項３】
ケーブルトンネル覆工時にセントルのスキンプレート外側面に備えられるケーブルトレイ取付用埋込金物を設置する方法であって、
前記セントルの前記スキンプレートに対し内側から、ケーブルトンネルの勾配の変化に対応して前記ケーブルトレイ取付用埋込金物をボルト結合しておき、
ケーブルトンネル覆工への前記ケーブルトレイ取付用埋込金物の埋込後に、前記ボルトを抜くことを特徴とするケーブルトンネル覆工におけるケーブルトレイ取付用埋込金物の設置方法。
【請求項４】
ケーブルトンネルの勾配の変化に対応して前記スキンプレートの複数位置に形成されたボルト通し穴に対し内側からボルト結合して、前記ケーブルトレイ取付用埋込金物を備えておくことを特徴とする請求項３に記載のケーブルトンネル覆工におけるケーブルトレイ取付用埋込金物の設置方法。
【発明の詳細な説明】
【技術分野】
【０００１】
本発明は、ケーブルトンネル用セントルと、ケーブルトンネル覆工におけるケーブルトレイ取付用埋込金物の設置方法に関する。
【背景技術】
【０００２】
ケーブルトンネルにおいて、その壁面にはケーブルを載置するケーブルトレイが取り付けられる（例えば特許文献１参照）。
【特許文献１】特開２００５−２７３２３４号公報
【発明の開示】
【発明が解決しようとする課題】
【０００３】
このようなケーブルトレイを取付可能とするため、ケーブルトンネル覆工時にケーブルトレイ取付用埋込金物を設置することが考えられる。その場合、ケーブルトレイ取付用埋込金物を、セントルのスキンプレート外側面に内側からボルト結合して備えるようにすれば良い。
ところが、ケーブルトンネルは水平のみに限らず勾配が変化するのに対し、ケーブルトレイ取付用埋込金物は、ケーブルトンネルの勾配に関係なく垂直に設置するものであるため、セントルに対するケーブルトレイ取付用埋込金物の組付方に工夫が要求される。
【０００４】
本発明の課題は、ケーブルトンネルの勾配の変化に対応してケーブルトレイ取付用埋込金物をセントルに組み付けられ、ケーブルトンネル覆工時にケーブルトレイ取付用埋込金物をケーブルトンネルの勾配の変化に対応して設置できるようにすることである。
【課題を解決するための手段】
【０００５】
以上の課題を解決するため、請求項１に記載の発明は、ケーブルトンネル覆工へのケーブルトレイ取付用埋込金物を、スキンプレート外側面に内側からボルト結合して備えるセントルであって、前記スキンプレートには、前記ケーブルトレイ取付用埋込金物をケーブルトンネルの勾配の変化に対応してボルト結合可能とするボルト通し穴が複数位置に形成されていることを特徴とする。
【０００６】
請求項２に記載の発明は、請求項１に記載のケーブルトンネル用セントルであって、ボルト結合により備えられる前記ケーブルトレイ取付用埋込金物により隠れない箇所の前記ボルト通し穴を塞ぐキャップまたは穴埋め部品が備えられていることを特徴とする。
【０００７】
請求項３に記載の発明は、ケーブルトンネル覆工時にセントルのスキンプレート外側面に備えられるケーブルトレイ取付用埋込金物を設置する方法であって、前記セントルの前記スキンプレートに対し内側から、ケーブルトンネルの勾配の変化に対応して前記ケーブルトレイ取付用埋込金物をボルト結合しておき、ケーブルトンネル覆工への前記ケーブルトレイ取付用埋込金物の埋込後に、前記ボルトを抜くことを特徴とする。
【０００８】
請求項４に記載の発明は、請求項３に記載のケーブルトンネル覆工におけるケーブルトレイ取付用埋込金物の設置方法であって、ケーブルトンネルの勾配の変化に対応して前記スキンプレートの複数位置に形成されたボルト通し穴に対し内側からボルト結合して、前記ケーブルトレイ取付用埋込金物を備えておくことを特徴とする。
【発明の効果】
【０００９】
本発明によれば、セントルのスキンプレートに対し内側から、ケーブルトンネルの勾配の変化に対応してケーブルトレイ取付用埋込金物をボルト結合して備えることができるため、ケーブルトンネル覆工時において、セントルを利用してケーブルトンネルの勾配の変化に対応したケーブルトレイ取付用埋込金物を設置できる。
【発明を実施するための最良の形態】
【００１０】
以下、図を参照して本発明を実施するための最良の形態を詳細に説明する。
図１は本発明を適用するケーブルトンネルのケーブルトレイ取付用埋込金物の配置例を示すもので、１はインバートコンクリート、２はケーブルトンネル覆工、３はケーブルトレイ取付用埋込金物である。
【００１１】
すなわち、図１（ａ）は勾配０区間を示しており、図示のように、ケーブルトンネル覆工２の壁面に対しケーブルトレイ取付用埋込金物３は垂直に設置される。図１（ｂ）はある角度の勾配１区間を示しており、この勾配１区間においても、図示のように、ケーブルトンネル覆工２の壁面に対しケーブルトレイ取付用埋込金物３は垂直に設置される。図１（ｃ）はさらに大きな角度の勾配２区間を示しており、この勾配２区間においても、図示のように、ケーブルトンネル覆工２の壁面に対しケーブルトレイ取付用埋込金物３は垂直に設置される。
【００１２】
図２は本発明を適用した一実施形態の構成を示すもので、セントルの勾配０用のケーブルトレイ取付用埋込金物３との関係を内側から示したものであり、４はスキンプレート、５はボルト通し穴、５ａは使用するボルト通し穴である。
図３はセントルの勾配１用のケーブルトレイ取付用埋込金物３との関係を内側から示したものであり、５ｂは使用するボルト通し穴である。
図４はセントルの勾配２用のケーブルトレイ取付用埋込金物３との関係を内側から示したものであり、５ｃは使用するボルト通し穴である。
【００１３】
すなわち、セントルのスキンプレート４には、図示例では、上下２段で前後６列のケーブルトレイ取付用埋込金物３が備えられるようになっており、勾配０用と勾配１用と勾配２用に対応して３種類のボルト通し穴５が一つのケーブルトレイ取付用埋込金物３に対応して異なる位置に上下一対ずつ形成されている。
具体的には、図２に示すように、５ａが勾配０用のボルト通し穴であり、図３に示すように、５ｂが勾配１用のボルト通し穴であり、図４に示すように、５ｃが勾配２用のボルト通し穴である。
【００１４】
図５はケーブルトレイ取付用埋込金物３の詳細を示すもので、ケーブルトレイ取付用埋込金物３は、図示のように、平板部の四隅部にスタッド３１が溶接して備えられ、平板部の中央に一対のネジ穴３２が形成されている。
このケーブルトレイ取付用埋込金物３は、スキンプレート４の外側面において、内側から一対のボルト６をボルト通し穴５に通してネジ穴３２に締め込むことで、セントルに備えられる。
【００１５】
図６はケーブルトレイ取付用埋込金物３で隠れないボルト通し穴５をキャップ７で塞いだ状態を示したものである。
すなわち、勾配の相違によってケーブルトレイ取付用埋込金物３で隠れないボルト通し穴５については、例えば合成樹脂製のキャップ７を嵌め込んで塞いでおく。
【００１６】
図７はケーブルトレイ取付用埋込金物３で隠れないボルト通し穴５が重なった長穴を穴埋め部品８で塞いだ状態を示したものである。
すなわち、勾配の相違によってケーブルトレイ取付用埋込金物３で隠れないボルト通し穴５が重なった長穴となる場合があり（図２から図４参照）、そのような長穴については、例えば鉄製の穴埋め部品８で嵌め込んで塞いでおく。この穴埋め部品８は、平板部に長穴に嵌め込む突出部８１を有するもので、スキンプレート４にボルト９で固定される。図中、１０はボルト固定部に介装するカラーである。
【００１７】
次に、ケーブルトンネル覆工時におけるケーブルトレイ取付用埋込金物３の設置の仕方について説明する。
これに先立ち、セントルのスキンプレート４に対し内側から、ケーブルトンネルの勾配の変化に対応してケーブルトレイ取付用埋込金物３をボルト結合しておく。
具体的には、図１（ａ）の勾配０区間では、図２に示すボルト通し穴５ａを用い、図１（ｂ）の勾配１区間では、図３に示すボルト通し穴５ｂを用い、図１（ｃ）の勾配２区間では、図４に示すボルト通し穴５ｃを用いて、ボルト６をネジ穴３２に締め込んで、スキンプレート４に勾配に対応したケーブルトレイ取付用埋込金物３を組み付けておく。
【００１８】
そして、セントルを覆工位置に移動し、スキンプレート４の外側にコンクリートを打設する。これにより、図５（ｂ）に示したように、ケーブルトレイ取付用埋込金物３がケーブルトンネル覆工（コンクリート覆工）２に埋設される。
その後、所定の養生期間経過後にボルト６を抜いて、セントルを次の覆工位置に移動する。
以上により、図２から図４に示したように、勾配の違いに対応してケーブルトンネル覆工２にケーブルトレイ取付用埋込金物３が垂直に設置された状態となる。
【００１９】
以上のとおり、セントルのスキンプレート４に、各勾配に応じた３種類位置のボルト通し穴５ａ・５ｂ・５ｃを設けて、勾配の変化に対応してケーブルトレイ取付用埋込金物３をケーブルトンネル覆工２に埋設するため、作業がスムーズに行え、ケーブルトレイ取付用埋込金物３の設置精度も良い。
【００２０】
なお、以上の実施形態においては、３種類の勾配に対応した３位置のボルト通し穴としたが、本発明はこれに限定されるものではなく、２種類または４種類以上の勾配に対応した２位置または４位置以上のボルト通し穴としても良い。
また、ケーブルトレイ取付用埋込金物の形状や構造、ボルト結合の仕方等も任意であり、その他、具体的な細部構造等についても適宜に変更可能であることは勿論である。
【図面の簡単な説明】
【００２１】
【図１】本発明を適用するケーブルトンネルのケーブルトレイ取付用埋込金物の配置例を示すもので、勾配０区間を示した側面図（ａ）、勾配１区間を示した側面図（ｂ）、勾配２区間を示した側面図（ｃ）である。
【図２】本発明を適用した一実施形態の構成を示すもので、セントルの勾配０用のケーブルトレイ取付用埋込金物との関係を内側から示した説明図である。
【図３】同じく、セントルの勾配１用のケーブルトレイ取付用埋込金物との関係を内側から示した説明図である。
【図４】同じく、セントルの勾配２用のケーブルトレイ取付用埋込金物との関係を内側から示した説明図である。
【図５】ケーブルトレイ取付用埋込金物の詳細を示すもので、正面図（ａ）、スキンプレートへの取り付け状態を示した断面図で図（ａ）の矢印Ａ−Ａ線に沿った断面図（ｂ）、図（ｂ）のボルト結合部の拡大図（ｃ）である。
【図６】ケーブルトレイ取付用埋込金物で隠れないボルト通し穴をキャップで塞いだ状態を示したもので、拡大断面図（ａ）、キャップの正面図（ｂ）である。
【図７】ケーブルトレイ取付用埋込金物で隠れないボルト通し穴が重なった長穴を穴埋め部品で塞いだ状態を示したもので、拡大断面図（ａ）、穴埋め部品の正面図（ｂ）である。
【符号の説明】
【００２２】
１  インバートコンクリート
２  ケーブルトンネル覆工
３  ケーブルトレイ取付用埋込金物
３１  スタッドボルト
３２  ネジ穴
４  スキンプレート
５  ボルト通し穴
６  ボルト
７  キャップ
８  穴埋め部品
【図１】
0004464359.tif 000002
【図２】
0004464359.tif 000003
【図３】
0004464359.tif 000004
【図４】
0004464359.tif 000005
【図５】
0004464359.tif 000006
【図６】
0004464359.tif 000007
【図７】
0004464359.tif 000008